(57)【要約】【課題】映像データを処理する方法及びその装置を提供する。【解決手段】スーパーピクセルアレイ１３２０の映像データを、サブピクセルアレイ１３３０の映像データに変換する方法及びその装置に係り、センシング回路１３００上の個別活性化領域内の複数ノードＮ１〜Ｎ９を活性化させることにより、複数のスーパーピクセルを獲得し、複数のスーパーピクセルによって構成されたスーパーピクセルアレイの映像データを生成することができ、統合活性化領域１３１０内の一部ノードを個別的に活性化させることにより、サブピクセルアレイ内の第１領域のサブピクセル値を獲得し、スーパーピクセルアレイ及び第１領域のサブピクセル値に基づいて、スーパーピクセルアレイの映像データを、サブピクセルアレイの映像データに変換する。【選択図】図１３
2020013569.tif 000002
【特許請求の範囲】
【請求項１】
複数の駆動電極と、複数の検出電極とを具備するセンシング回路から生成された映像データを処理する方法において、
前記センシング回路上の個別活性化領域を所定ピッチずつ移動させることにより、所定個数の駆動電極、及び所定個数の検出電極を動作させ、個別活性化領域内の複数ノードを活性化させることにより、複数のスーパーピクセルを獲得し、前記複数のスーパーピクセルによって構成されたスーパーピクセルアレイの映像データを生成する段階と、
サブピクセルアレイを構成する複数のサブピクセルそれぞれは、統合活性化領域内の複数ノードと対応し、１つの駆動電極、及び１つの検出電極を動作させ、前記統合活性化領域内の一部ノードを個別的に活性化させることにより、前記サブピクセルアレイ内の第１領域を構成する複数の第１サブピクセルの値を獲得する段階と、
前記スーパーピクセルアレイ、及び前記複数の第１サブピクセルの値に基づいて、前記サブピクセルアレイ内の第２領域を構成する複数の第２サブピクセルの値を算出することにより、前記スーパーピクセルアレイの映像データを、前記サブピクセルアレイの映像データに変換する段階と、を含む方法。
【請求項２】
前記複数の第２サブピクセルの値を算出することは、
前記スーパーピクセルアレイを構成するスーパーピクセルの個数と、前記サブピクセルアレイを構成するサブピクセルの個数と、に基づいて、前述のスーパーピクセルとサブピクセルとの関係を示す関係行列の大きさを決定する段階と、
前記統合活性化領域内において、前記個別活性化領域が所定ピッチずつ移動することにより、前記個別活性化領域内の複数ノードを識別することにより、前記決定された大きさによる前記関係行列を算出する段階と、
前記スーパーピクセルアレイ、前記複数の第１サブピクセルの値、及び前記算出された関係行列に基づいて、前記複数の第２サブピクセルの値を算出する段階と、を含むことを特徴とする請求項１に記載の方法。
【請求項３】
前記関係行列を算出する段階は、
前記統合活性化領域内において、前記個別活性化領域を所定ピッチずつ移動させることにより、前記個別活性化領域内の複数ノードを識別する段階と、
前記統合活性化領域内の複数ノードは、前記関係行列の行列要素に対応し、前記識別された複数のノードに対応する前記関係行列の行列要素を第１値に決定する段階と、
前記関係行列において、前記第１値に決定された行列要素を除いた残り行列要素を第２値に決定する段階と、を含むことを特徴とする請求項２に記載の方法。
【請求項４】
前記複数の第１サブピクセルの値は、０であることを特徴とする請求項１に記載の方法。
【請求項５】
前記スーパーピクセルアレイの映像データを生成する段階は、
前記統合活性化領域内において、前記個別活性化領域を所定ピッチずつ移動させることにより、前記個別活性化領域内の複数ノードのうち、前記複数の第２サブピクセルと対応するノードを選択する段階と、
前記個別活性化領域内の複数ノードのうち、前記選択されたノードのみを活性化させることにより、スーパーピクセルを獲得する段階と、
前記獲得されたスーパーピクセルによって構成された前記スーパーピクセルアレイの映像データを生成する段階と、を含むことを特徴とする請求項１に記載の方法。
【請求項６】
前記スーパーピクセルアレイの映像データを生成する段階は、
前記複数の駆動電極を、複数の駆動グループにグループ化し、前記複数の駆動グループそれぞれに、順次に電気信号を印加し、前記複数の検出電極を、複数の検出グループにグループ化し、前記複数の検出グループそれぞれから、順次に電気信号を検出する段階と、
前記複数の駆動グループ、及び前記複数の検出グループそれぞれが互いに交差する複数のノードを活性化させることにより、複数のスーパーピクセルを獲得し、前記複数のスーパーピクセルによって構成されたスーパーピクセルアレイの映像データを生成する段階と、を含むことを特徴とする請求項１に記載の方法。
【請求項７】
前記センシング回路に含まれた前記複数の駆動電極と、前記複数の検出電極とが交差することにより、複数のノードが形成され、前記複数のノードそれぞれは、駆動電極と検出電極との相互静電容量を示すことを特徴とする請求項１に記載の方法。
【請求項８】
複数の駆動電極と、複数の検出電極とを具備するセンシング回路から生成された映像データを処理する装置において、
少なくとも１つのプログラムが保存されたメモリと、
前記少なくとも１つのプログラムを実行することにより、前記センシング回路を制御する少なくとも１つのプロセッサと、を含み、
前記少なくとも１つのプロセッサは、
前記センシング回路上の個別活性化領域を所定ピッチずつ移動させることにより、所定個数の駆動電極、及び所定個数の検出電極を動作させ、個別活性化領域内の複数ノードを活性化させることにより、複数のスーパーピクセルを獲得し、前記複数のスーパーピクセルによって構成されたスーパーピクセルアレイの映像データを生成し、
サブピクセルアレイを構成する複数のサブピクセルそれぞれは、統合活性化領域内の複数ノードと対応し、１つの駆動電極、及び１つの検出電極を動作させ、前記統合活性化領域内の一部ノードを個別的に活性化させることにより、前記サブピクセルアレイ内の第１領域を構成する複数の第１サブピクセルの値を獲得し、
前記スーパーピクセルアレイ、及び前記複数の第１サブピクセルの値に基づいて、前記サブピクセルアレイ内の第２領域を構成する複数の第２サブピクセルの値を算出することにより、前記スーパーピクセルアレイの映像データを、前記サブピクセルアレイの映像データに変換する装置。
【請求項９】
前記少なくとも１つのプロセッサは、
前記スーパーピクセルアレイを構成するスーパーピクセルの個数と、前記サブピクセルアレイを構成するサブピクセルの個数と、に基づいて、スーパーピクセルとサブピクセルとの関係を示す関係行列の大きさを決定し、
前記統合活性化領域内において、前記個別活性化領域が所定ピッチずつ移動することにより、前記個別活性化領域内の複数ノードを識別して、決定された大きさによる関係行列を算出し、
前記スーパーピクセルアレイ、前記複数の第１サブピクセルの値、及び算出された関係行列に基づいて、前記複数の第２サブピクセルの値を算出することを特徴とする請求項８に記載の装置。
【請求項１０】
前記少なくとも１つのプロセッサは、
前記統合活性化領域内において、前記個別活性化領域を所定ピッチずつ移動させることにより、前記個別活性化領域内の複数ノードを識別し、
前記統合活性化領域内の複数ノードは、前記関係行列の行列要素に対応し、識別された複数のノードに対応する前記関係行列の行列要素を第１値に決定し、
前記関係行列において、前記第１値に決定された行列要素を除いた残り行列要素を第２値に決定することを特徴とする請求項９に記載の装置。
【請求項１１】
前記複数の第１サブピクセルの値は、０であることを特徴とする請求項８に記載の装置。
【請求項１２】
前記少なくとも１つのプロセッサは、
前記統合活性化領域内において、前記個別活性化領域を所定ピッチずつ移動させることにより、前記個別活性化領域内の複数ノードのうち、前記複数の第２サブピクセルと対応するノードを選択し、
前記個別活性化領域内の複数ノードのうち、前記選択されたノードのみを活性化させることにより、スーパーピクセルを獲得し、
獲得されたスーパーピクセルによって構成された前記スーパーピクセルアレイの映像データを生成することを特徴とする請求項８に記載の装置。
【請求項１３】
前記少なくとも１つのプロセッサは、
前記複数の駆動電極を、複数の駆動グループにグループ化し、前記複数の駆動グループそれぞれに順次に電気信号を印加し、前記複数の検出電極を、複数の検出グループにグループ化し、前記複数の検出グループそれぞれから、順次に電気信号を検出し、
前記複数の駆動グループ、及び前記複数の検出グループそれぞれが互いに交差する複数のノードを活性化させることにより、複数のスーパーピクセルを獲得し、前記複数のスーパーピクセルによって構成されたスーパーピクセルアレイの映像データを生成することを特徴とする請求項８に記載の装置。
【請求項１４】
前記センシング回路に含まれた前記複数の駆動電極と、前記複数の検出電極とが交差することにより、複数のノードが形成され、前記複数のノードそれぞれは、駆動電極と検出電極との相互静電容量を示すことを特徴とする請求項８に記載の装置。
【請求項１５】
前記センシング回路は、
前記複数の駆動電極、及び前記複数の駆動電極と交差する方向に形成された前記複数の検出電極を含むタッチパッドと、
前記複数の駆動電極に駆動信号を印加するドライバと、
前記複数の検出電極から電気信号を測定する信号測定部と、を含み、
前記少なくとも１つのプロセッサは、前記信号測定部で測定した電気信号に基づいて、前記スーパーピクセルアレイの映像データを、前記サブピクセルアレイの映像データに変換することを特徴とする請求項８に記載の装置。
【請求項１６】
請求項１ないし７のうちいずれか１項に記載の方法をコンピュータで実行するためのプログラムを記録したコンピュータで読み取り可能な記録媒体。
【発明の詳細な説明】
【技術分野】
【０００１】
本発明は、映像データを処理する方法及びその装置に関する。
【背景技術】
【０００２】
指紋、音声、顔、手または虹彩のような個人固有の特徴を利用した個人認証の必要性は、だんだんと拡大されている。個人認証機能は、金融機器、出入り統制機、モバイル装置、ノート型パソコンなどで主に使用され、最近、スマートフォンのようなモバイル装置が広く普及されるにつれ、スマートフォン内に保存された多くの保安情報を保護するために、個人認証のための指紋認識装置が採用されている。
【０００３】
指紋センシングの正確度の要求基準を高めつつ、高解像度、および高感度である指紋センシング装置が要求されている。
【発明の概要】
【発明が解決しようとする課題】
【０００４】
本発明は、映像データを処理する方法及びその装置を提供するものである。本実施形態が解決しようとする技術的課題は、前述のような技術的課題に限定されるものではなく、以下の実施形態から、他の技術的課題が類推される。
【課題を解決するための手段】
【０００５】
前述の技術的課題を達成するための技術的手段として、本開示の第１側面は、複数の駆動電極と、複数の検出電極とを具備するセンシング回路から生成された映像データを処理する方法において、前記センシング回路上の個別活性化領域を所定ピッチずつ移動させることにより、所定個数の駆動電極、及び所定個数の検出電極を動作させ、個別活性化領域内の複数ノードを活性化することにより、複数のスーパーピクセルを獲得し、前記複数のスーパーピクセルで構成されたスーパーピクセルアレイの映像データを生成する段階と、サブピクセルアレイを構成する複数のサブピクセルそれぞれは、統合活性化領域内の複数ノードと対応し、１つの駆動電極、及び１つの検出電極を動作させ、前記統合活性化領域内の一部ノードを個別的に活性化させることにより、前記サブピクセルアレイ内の第１領域を構成する複数の第１サブピクセルの値を獲得する段階と、前記スーパーピクセルアレイ及び前記複数の第１サブピクセルの値に基づいて、前記サブピクセルアレイ内の第２領域を構成する複数の第２サブピクセルの値を算出することにより、前記スーパーピクセルアレイの映像データを、前記サブピクセルアレイの映像データに変換する段階と、を含む方法を提供することができる。
【０００６】
また、前記スーパーピクセルアレイを構成するスーパーピクセルの個数と、前記サブピクセルアレイを構成するサブピクセルの個数と、に基づいて、スーパーピクセルとサブピクセルとの関係を示す関係行列の大きさを決定する段階と、前記統合活性化領域内において、前記個別活性化領域が所定ピッチずつ移動することにより、前記個別活性化領域内の複数ノードを識別することにより、前記決定された大きさによる前記関係行列を算出する段階と、前記スーパーピクセルアレイ、前記複数の第１サブピクセルの値、及び前記算出された関係行列に基づいて、前記複数の第２サブピクセルの値を算出する段階と、を含む方法を提供することができる。
【０００７】
また、前記統合活性化領域内において、前記個別活性化領域を所定ピッチずつ移動させることにより、前記個別活性化領域内の複数ノードを識別する段階と、前記統合活性化領域内の複数ノードは、前記関係行列の行列要素に対応し、前記識別された複数のノードに対応する前記関係行列の行列要素を第１値に決定する段階と、前記関係行列において、前記第１値に決定された行列要素を除いた残り行列要素を第２値に決定する段階と、を含む方法を提供することができる。
【０００８】
また、前記複数の第１サブピクセルの値は０である方法を提供することができる。
【０００９】
また、前記統合活性化領域内において、前記個別活性化領域を所定ピッチずつ移動させることにより、前記個別活性化領域内の複数ノードのうち、前記複数の第２サブピクセルと対応するノードを選択する段階と、前記個別活性化領域内の複数ノードのうち、前記選択されたノードのみを活性化させることにより、スーパーピクセルを獲得する段階と、前記獲得されたスーパーピクセルで構成された前記スーパーピクセルアレイの映像データを生成する段階と、を含む方法を提供することができる。
【００１０】
また、前記複数の駆動電極を、複数の駆動グループにグループ化し、前記複数の駆動グループそれぞれに順次に電気信号を印加し、前記複数の検出電極を、複数の検出グループにグループ化し、前記複数の検出グループそれぞれから、順次に電気信号を検出する段階と、前記複数の駆動グループ、及び前記複数の検出グループそれぞれが互いに交差する複数のノードを活性化させることにより、複数のスーパーピクセルを獲得し、前記複数のスーパーピクセルで構成されたスーパーピクセルアレイの映像データを生成する段階と、を含む方法を提供することができる。
【００１１】
また、前記センシング回路に含まれた前記複数の駆動電極と、前記複数の検出電極とが交差することにより、複数のノードが形成され、前記複数のノードそれぞれは、駆動電極と検出電極との相互静電容量を示すものである方法を提供することができる。
【００１２】
本開示の第２側面は、複数の駆動電極と、複数の検出電極とを具備するセンシング回路から生成された映像データを処理する装置において、少なくとも１つのプログラムが保存されたメモリと、前記少なくとも１つのプログラムを実行することにより、前記センシング回路を制御する少なくとも１つのプロセッサと、を含み、前記少なくとも１つのプロセッサは、前記センシング回路上の個別活性化領域を所定ピッチずつ移動させることにより、所定個数の駆動電極、及び所定個数の検出電極を動作させ、個別活性化領域内の複数ノードを活性化させることにより、複数のスーパーピクセルを獲得し、前記複数のスーパーピクセルで構成されたスーパーピクセルアレイの映像データを生成し、サブピクセルアレイを構成する複数のサブピクセルそれぞれは、統合活性化領域内の複数ノードと対応し、１つの駆動電極、及び１つの検出電極を動作させ、前記統合活性化領域内の一部ノードを個別的に活性化させることにより、前記サブピクセルアレイ内の第１領域を構成する複数の第１サブピクセルの値を獲得し、前記スーパーピクセルアレイ、及び前記複数の第１サブピクセルの値に基づいて、前記サブピクセルアレイ内の第２領域を構成する複数の第２サブピクセルの値を算出することにより、前記スーパーピクセルアレイの映像データを、前記サブピクセルアレイの映像データに変換する装置を提供することができる。
【００１３】
また、前記センシング回路は、前記複数の駆動電極、及び前記複数の駆動電極と交差する方向に形成された前記複数の検出電極を含むタッチパッドと、前記複数の駆動電極に駆動信号を印加するドライバと、前記複数の検出電極から電気信号を測定する信号測定部と、を含み、前記少なくとも１つのプロセッサは、前記信号測定部で測定した電気信号に基づいて、前記スーパーピクセルアレイの映像データを、前記サブピクセルアレイの映像データに変換する装置を提供することができる。
【００１４】
本開示の第３側面は、第１側面の方法をコンピュータで実行させるためのプログラムを記録したコンピュータで読み取り可能な記録媒体を提供することができる。
【発明の効果】
【００１５】
本発明によれば、スーパーピクセルアレイの映像データを、サブピクセルアレイの映像データに変換することにより、映像データの解像度を高めることができる装置及びその方法を提供することができる。
【図面の簡単な説明】
【００１６】
【図１】一実施形態によるセンシング回路の概略的な構成を示した図である。
【図２】一実施形態により、タッチパッドの各ノードに対応する相互静電容量を概念的に示した図である。
【図３】一実施形態により、ドライバが、駆動電極がグループ化された駆動グループに駆動信号を印加するところを概念的に示した図である。
【図４】一実施形態により、信号測定部が、第２検出電極からの電気信号を測定することを例示的に示した図である。
【図５】一実施形態により、第１駆動グループと異なる第２駆動グループに、ドライバが駆動信号を印加するところを示した図である。
【図６】一実施形態により、検出グループが２つの検出電極を含む例を示した図である。
【図７】一実施形態により、信号測定部が電気信号を測定する検出グループの順番を変化させた例を示した図である。
【図８】一実施形態により、ドライバが駆動信号を印加する駆動グループの順番を変更した例を示した図である。
【図９】一実施形態により、活性化された領域が３×３個のチャネルを含む例を示した図である。
【図１０Ａ】一実施形態により、センシング回路を利用し、サブピクセルアレイ及びスーパーピクセルアレイを生成する過程について説明するための図である。
【図１０Ｂ】一実施形態により、センシング回路を利用し、サブピクセルアレイ及びスーパーピクセルアレイを生成する過程について説明するための図である。
【図１１】一実施形態により、スーパーピクセルアレイをサブピクセルアレイに変換する概略的な方法について説明するための図である。
【図１２】一実施形態により、スーパーピクセルとサブピクセルとの関係について説明するための図である。
【図１３】一実施形態により、スーパーピクセルアレイをサブピクセルアレイに変換する方法について説明するための図である。
【図１４】一実施形態により、スーパーピクセルアレイをサブピクセルアレイに変換する方法について説明するための図である。
【図１５】一実施形態により、スーパーピクセルアレイをサブピクセルアレイに変換する概略的な方法について説明するための図である。
【図１６】一実施形態により、スーパーピクセルとサブピクセルとの関係について説明するための図である。
【図１７】一実施形態により、スーパーピクセルアレイをサブピクセルアレイに変換する方法について説明するための図である。
【図１８】一実施形態により、センシング回路の駆動電極及び検出電極のうち一部に、固定電位を印加する例について説明するための図である。
【図１９】一実施形態により、個別活性化領域に含まれた一部のノードのみを活性化させ、スーパーピクセルとサブピクセルとの関係を示す方法について説明するための図である。
【図２０】一実施形態により、スーパーピクセルアレイの映像データを、サブピクセルアレイの映像データに変換する方法について説明するフローチャートである。
【図２１】一実施形態により、映像データ処理装置のハードウェア構成を図示したブロック図である。
【発明を実施するための形態】
【００１７】
本明細書において、多様なところに登場する「一部実施形態において」または「一実施形態において」というような語句は、必ずしもいずれも同一実施形態を示すものではない。
【００１８】
本開示の一部実施形態は、機能的なブロック構成、及び多様な処理段階でも示される。そのような機能ブロックの一部または全部は、特定機能を実行する多様な個数のハードウェア構成及び／またはソフトウェア構成によっても具現される。例えば、本開示の機能ブロックは、１以上のマイクロプロセッサによって具現されたり、所定機能のための回路構成によっても具現されたりもする。また、例えば、本開示の機能ブロックは、多様なプログラミング言語またはスクリプティング言語によっても具現される。該機能ブロックは、１以上のプロセッサで実行されるアルゴリズムによっても具現される。また、本開示は、電子的な環境設定、信号処理及び／またはデータ処理などのために、従来技術を採用することができる。「メカニズム」、「要素」、「手段」及び「構成」のような用語は、汎用され、機械的であって物理的な構成として限定されるものではない。
【００１９】
また、図面に示された構成要素間の連結線または連結部材は、機能的な連結、及び／または物理的または回路的な連結を例示的にのみ示したものである。実際の装置においては、代替可能であったり、追加されたりする多様な機能的な連結、物理的な連結、または回路連結により、構成要素間の連結が示される。
【００２０】
また、本明細書で使用される「第１」または「第２」のように、序数を含む用語は、多様な対象についての説明に使用することができるが、前記対象は、前記用語によって限定されるものではない。前記用語は、１つの対象を他の対象と区別する目的のみに使用される。
【００２１】
以下では、図面を参照し、本発明の実施形態について詳細に説明する。
【００２２】
図１は、一実施形態によるセンシング回路の概略的な構成を示した図である。
【００２３】
図１を参照すれば、例示的な実施形態によるセンシング回路は、複数の駆動電極Ｔｘ、及び複数の駆動電極Ｔｘと交差する方向に形成された複数の検出電極Ｒｘを含むタッチパッドＴＰ（ｔｏｕｃｈ  ｐａｄ）を含んでもよい。また、センシング回路は、複数の駆動電極Ｔｘに駆動信号を印加するドライバＤＵ（ｄｒｉｖｅｒ  ｕｎｉｔ）と、複数の検出電極Ｒｘから電気信号を測定する信号測定部ＲＵ（ｒｅｃｅｉｖｉｎｇ  ｕｎｉｔ）と、を含んでもよい。
【００２４】
タッチパッドＴＰは、複数の駆動電極Ｔｘと、検出電極Ｒｘとを含んでもよい。複数の駆動電極Ｔｘと、複数の検出電極Ｒｘは、互いに交差する方向にも形成される。図１においては、複数の駆動電極Ｔｘと、複数の検出電極Ｒｘとが互いに直交する例を例示的に示されているが、本実施形態は、それに制限されるものではない。例えば、複数の駆動電極Ｔｘが形成された方向と、複数の検出電極Ｒｘが形成された方向との角度は、９０°でなくともよい。
【００２５】
タッチパッドＴＰ上にユーザの指が近付けば、タッチパッドＴＰの複数の駆動電極Ｔｘそれぞれと、複数の検出電極Ｒｘそれぞれとの相互静電容量が異なることになる。例えば、ユーザの指指紋パターン形態により、タッチパッドＴＰにおいて、複数の駆動電極Ｔｘと、複数の検出電極Ｒｘとが交差するノードそれぞれでの相互静電容量が異なるように変わる。複数の駆動電極Ｔｘ間の間隔、及び複数の検出電極Ｒｘ間の間隔が狭いほど、センシング回路の解像度が高くなる。タッチパッド上には、タッチパッドに含まれた複数の駆動電極Ｔｘ、及び複数の検出電極Ｒｘを保護するための保護層がさらに設けられてもよい。
【００２６】
複数の駆動電極Ｔｘと、検出電極Ｒｘは、線電極でも構成される。他の例として、複数の駆動電極Ｔｘそれぞれは、複数の駆動電極Ｔｘと、複数の検出電極Ｒｘとが交差するノード間に設けられた所定パターンをさらに含んでもよい。前記パターンは、多角形、円形など多様な形態を有することができるが、それらに制限されるものではない。同様に、複数の検出電極Ｒｘそれぞれも、前記ノード間に設けられた所定パターンをさらに含んでもよい。
【００２７】
ドライバＤＵは、複数の駆動電極Ｔｘに駆動信号を印加することができる。例えば、ドライバＤＵは、複数の駆動電極Ｔｘに電圧パルスを印加することができる。信号測定部ＲＵは、複数の検出電極Ｒｘから電気信号を測定することができる。例えば、信号測定部ＲＵは、複数の検出電極Ｒｘに流れる電流を測定することができる。他の例として、信号測定部ＲＵは、複数の検出電極Ｒｘの電位を測定することもできる。
【００２８】
該センシング回路は、相互静電容量指紋センサ（ｍｕｔｕａｌ  ｃａｐａｃｉｔｉｖｅ  ｆｉｎｇｅｒｐｒｉｎｔ  ｓｅｎｓｏｒ）にも適用されるが、該センシング回路が適用される例は、それに制限されるものではない。
【００２９】
図２は、一実施形態により、タッチパッドの各ノードに対応する相互静電容量を概念的に示した図である。
【００３０】
図２を参照すれば、複数の駆動電極Ｔｘそれぞれと、複数の検出電極Ｒｘそれぞれとの相互静電容量は、複数の駆動電極Ｔｘと、複数の検出電極Ｒｘとが交差するノードに対応する。
【００３１】
例えば、第１駆動電極Ｔｘ１と第１検出電極Ｒｘ１との相互静電容量Ｃ１１は、第１駆動電極Ｔｘ１と第１検出電極Ｒｘ１とが交差するノードＮ１１に対応する。同様に、ｍ番目（ｍは、任意の自然数）駆動電極Ｔｘｍと、ｎ番目（ｎは、任意の自然数）検出電極Ｒｘｎとの相互静電容量Ｃｍｎは、ｍ番目駆動電極Ｔｘｍと、ｎ番目検出電極Ｒｘｎとが交差するノードＮｍｎに対応する。本明細書において、ノードＮｍｎでの相互静電容量Ｃｍｎは、ｍ番目駆動電極Ｔｘｍと、ｎ番目検出電極Ｒｘｎとの相互静電容量を意味する。
【００３２】
複数の駆動電極Ｔｘと、複数の検出電極Ｒｘとにより、タッチパッドＴＰにおいて、複数のチャネル領域が定義される。例えば、該チャネル領域は、複数の駆動電極Ｔｘと、複数の検出電極Ｒｘとによって取り囲まれた四角形領域でもある。また、該チャネル領域それぞれは、ノードに対応する。例えば、チャネルＣＨ１１は、ノードＮ１１に対応する。
【００３３】
比較例によれば、複数のノードそれぞれでの相互静電容量を測定するために、複数の駆動電極Ｔｘそれぞれに、順次に他の駆動信号を印加することができる。また、複数の検出電極Ｒｘそれぞれにおいて、個別的に電気信号を測定することができる。例えば、相互静電容量Ｃ１１を測定しようとする場合、第１駆動電極Ｔｘ１にだけ駆動信号を印加し、第１検出電極Ｒｘ１において、電気信号を測定することができる。同様に、相互静電容量Ｃｍｎを測定しようとする場合、ｍ番目駆動電極Ｔｘｍにだけ駆動信号を印加し、ｎ番目検出電極Ｒｘｎにおいて、電気信号を測定することができる。
【００３４】
前述の比較例によれば、それぞれのノードでの相互静電容量を測定するために、１つの駆動電極Ｔｘにだけ駆動信号を印加することができる。ところで、高解像度センシング回路の場合、複数の駆動電極Ｔｘ間の間隔が非常に狭くもなる。複数の駆動電極Ｔｘ間の間隔が狭くなれば、相互静電容量を測定する間、活性化されるノード、すなわち、チャネルＣＨの面積が狭くなる。そして、前記活性化されるチャネルＣＨの面積が狭くなれば、獲得される信号の強度が弱くなる。そして、ノードそれぞれで測定される相互静電容量の大きさが小さくなる。従って、ノードそれぞれでの相互静電容量の変化量を正確に感知し難くなる。それにより、センシング回路の感度が低下する。
【００３５】
センシング感度を高めるために、一実施形態によるセンシング回路のドライバＤＵは、複数の駆動電極Ｔｘを、複数の駆動グループにグループ化し、複数の駆動グループそれぞれに、順次に電気信号を印加することができる。また、センシング回路の信号測定部ＲＵは、複数の検出電極Ｒｘを、複数の検出グループにグループ化し、複数の検出グループそれぞれから、順次に電気信号を測定することができる。
【００３６】
すなわち、該センシング回路は、１つの駆動電極Ｔｘに電気信号を印加し、１つの検出電極Ｒｘから電気信号を検出する代わりに、複数の駆動電極Ｔｘで構成された駆動グループに電気信号を印加し、複数の検出電極Ｒｘで構成された検出グループから、電気信号を検出することができる。
【００３７】
駆動グループに電気信号を印加するということは、駆動グループに含まれた複数の駆動電極に同時に電気信号を印加することを意味する。また、検出グループから電気信号を検出するということは、検出グループに含まれた複数の検出電極から電気信号を検出することを意味する。すなわち、該駆動グループ及び該検出グループが交差して形成される複数のノードＮがいずれも活性化され、相互静電容量を測定する間、活性化されるノードＮ、すなわち、チャネルＣＨの面積が拡大される。チャネルＣＨの面積拡大により、信号測定部ＲＵにおいては、相互静電容量をさらに正確に測定することができ、その結果、センシング回路の感度が向上する。
【００３８】
図３は、一実施形態により、ドライバＤＵが、駆動電極がグループ化された駆動グループに駆動信号を印加するところを概念的に示した図である。
【００３９】
図３を参照すれば、ドライバＤＵは、複数個の駆動電極Ｔｘ１，Ｔｘ２をグループ化し、駆動信号Ｓ１を印加することができる。例えば、ドライバＤＵは、第１駆動電極Ｔｘ１と第２駆動電極Ｔｘ２とを、第１駆動グループＧｄ１にグループ化することができる。そして、ドライバＤＵは、第１駆動グループＧｄ１に、同じ駆動信号Ｓ１を印加することができる。例えば、ドライバＤＵは、第１駆動グループＧｄ１に、同じ電圧パルスを印加することができる。
【００４０】
信号測定部ＲＵは、複数の検出電極Ｒｘそれぞれにおいて、個別的に信号を測定することができる。駆動グループが、ｎ個（ｎは、任意の自然数）の駆動電極Ｔｘを含み、信号測定部ＲＵが、１つの検出電極Ｒｘで信号を測定するとき、タッチパッドＴＰで活性化された領域は、ｎ×１個のチャネルを含んでもよい。例えば、図１に図示されているように、第１駆動グループＧｄ１が、第１駆動電極Ｔｘ１及び第２駆動電極Ｔｘ２を含み、信号測定部ＲＵが、第１検出電極Ｒｘ１から信号Ｓ１１を測定すれば、活性化された領域ＲＥ１１は、２つのチャネルＣＨ１１，ＣＨ２１を含んでもよい。ここで、ＲＥｍｎは、ｍ番目駆動グループＧｄｍとｎ番目検出電極Ｒｘｎとによって活性化された領域を意味する。また、信号Ｓｍｎは、ＲＥｍｎが活性化されたとき、信号測定部ＲＵで測定された電気信号を意味する。そして、ＧＣｍｎは、信号Ｓｍｎから導き出されたＲＥｍｎでの相互静電容量値を意味する。
【００４１】
前述の例において、第１駆動グループＧｄ１に駆動信号が印加され、第１検出電極Ｒｘ１で測定された信号Ｓ１１から、活性化された領域ＲＥ１１での相互静電容量ＧＣ１１が導き出される。活性化された領域ＲＥ１１での相互静電容量ＧＣ１１は、チャネルＣＨ１１に対応する相互静電容量Ｃ１１、及びチャネルＣＨ２１に対応する相互静電容量Ｃ２１の組み合わせによって形成される。
【００４２】
図３に図示されているように、ドライバＤＵが、複数個の駆動電極Ｔｘがグループ化された駆動グループＧｄに駆動信号を印加すれば、信号測定部ＲＵで信号を測定するとき、活性化された領域ＲＥが含むチャネルの個数が多くなる。従って、信号測定部ＲＵにおいて測定された信号の強度が強くなる。そのため、センシング回路の感度が向上される。
【００４３】
ドライバＤＵが、第１駆動グループＧｄ１に駆動信号を印加すれば、信号測定部ＲＵは、複数の検出電極Ｒｘそれぞれでの信号を順次に測定することができる。
【００４４】
図４は、一実施形態により、信号測定部ＲＵが、第２検出電極からの電気信号を測定することを例示的に示した図である。
【００４５】
図４を参照すれば、図３で示した信号測定部ＲＵが、信号を測定する検出電極Ｒｘを変更することができる。例えば、信号測定部ＲＵは、電気信号を測定する検出電極Ｒｘの順番を順次に変更することができる。信号測定部ＲＵが電気信号を測定する検出電極Ｒｘを変更すれば、活性化された領域ＲＥ１２も、動くことになる。信号測定部ＲＵが電気信号を測定する検出電極Ｒｘの順番を変化させることにより、活性化された領域ＲＥｍｎは、横方向に動くことになる。
【００４６】
図５は、一実施形態により、第１駆動グループと異なる第２駆動グループに、ドライバＤＵが駆動信号を印加するところを示した図である。
【００４７】
図５を参照すれば、ドライバＤＵは、第１駆動グループＧｄ１に駆動信号Ｓ１を印加した時点より遅い時点で、第２駆動グループＧｄ２に駆動信号Ｓ２を印加することができる。従って、第２駆動グループＧｄ２に印加される駆動信号Ｓ２のパルスピークは、第１駆動グループＧｄ１に印加される駆動信号Ｓ１のパルスピークより時間的に遅延される。第１駆動グループＧｄ１に信号が印加されるときに活性化される領域ＲＥ１１と、第２駆動グループＧｄ２に信号が印加されるときに活性化される領域ＲＥ２１は、互いに重畳されるチャネルＣＨ２１を含んでもよい。
【００４８】
図５に図示されているように、ドライバＤＵは、駆動グループＧｄの順番が変わるたびに、駆動グループＧｄに含まれた複数の駆動電極Ｔｘの順番を順次に変更させることができる。例示的には、ドライバＤＵは、駆動グループＧｄの順番が１ずつ増加するたびに、駆動グループＧｄに含まれた複数の駆動電極Ｔｘの順番を１ずつさらに増加させることができる。すなわち、図４及び図５に図示されているように、第１駆動グループＧｄ１が、第１駆動電極Ｔｘ１及び第２駆動電極Ｔｘ２を含めば、第２駆動グループＧｄ２は、第２駆動電極Ｔｘ２及び第３駆動電極Ｔｘ３を含んでもよい。すなわち、任意のｎ番目駆動グループＧｄｎは、ｎ番目駆動電極Ｔｘｎ及び（ｎ＋１）番目駆動電極Ｔｘｎ＋１を含んでもよい。
【００４９】
以上において、複数の駆動グループＧｄそれぞれを、順番を付与して示したが、前記順番が、駆動信号が印加される手順を制限するものではない。例えば、ドライバＤＵは、第１駆動グループＧｄ１に駆動信号を印加した後、第３駆動グループＧｄ３に駆動信号を印加し、第２駆動グループＧｄ２に駆動信号を印加することもできる。
【００５０】
また、図３ないし図５においては、駆動グループＧｄが２つの駆動電極Ｔｘを含むように例示的に示されているが、本実施形態は、それに制限されるものではない。例えば、駆動グループＧｄは、（ｋ＋１）個（ｋは、任意の自然数）の駆動電極Ｔｘを含んでもよい。例えば、ｎ番目（ｎは、任意の自然数）駆動グループＧｄｎは、ｎ番目ないし（ｎ＋ｋ）番目駆動電極Ｔｘｎ，……，Ｔｘ（ｎ＋ｋ）を含んでもよい。
【００５１】
図３ないし図５においては、信号測定部ＲＵが、複数の検出電極Ｒｘそれぞれから、個別的に電気信号を出力する例を示した。しかし、本実施形態は、それに制限されるものではない。例えば、信号測定部ＲＵは、複数の検出電極Ｒｘを、複数の検出グループにグループ化し、前記複数の検出グループそれぞれから出力される電気信号を順次に測定することもできる。
【００５２】
図６は、一実施形態により、検出グループが、２つの検出電極を含む例を示した図である。
【００５３】
図６を参照すれば、信号測定部ＲＵは、２つの検出電極Ｒｘを、検出グループＧｒにグループ化することができる。信号測定部ＲＵは、第１検出電極Ｒｘ１及び第２検出電極Ｒｘ２を、第１検出グループＧｒ１にグループ化し、第１検出グループＧｒ１から出力される電気信号を測定することができる。すなわち、信号測定部ＲＵは、第１検出グループＧｒ１に含まれた第１検出電極Ｒｘ１及び第２検出電極Ｒｘ２のそれぞれから出力される電気信号が合わされた電気信号を出力することができる。
【００５４】
図６に図示されているように、第１駆動グループＧｄ１が、２つの駆動電極Ｔｘ１，Ｔｘ２を含み、第１検出グループＧｒ１が、２つの検出電極Ｒｘ１，Ｒｘ２を含む場合、第１駆動グループＧｄ１と第１検出グループＧｒ１とによって活性化される領域ＲＥ１１は、２×２個のチャネルを含んでもよい。図６に図示されているように、信号測定部ＲＵが、複数の検出電極Ｒｘを、検出グループＧｒにグループ化し、第１検出グループＧｒ１から電気信号を測定すれば、該電気信号を測定するときに活性化される領域ＲＥの大きさが大きくなる。従って、測定される電気信号の大きさが大きくなり、それにより、活性化された領域ＲＥの相互静電容量が、さらに正確に導き出される。
【００５５】
図７は、一実施形態により、信号測定部ＲＵが、電気信号を測定する検出グループの順番を変化させた例を示した図である。
【００５６】
図７を参照すれば、信号測定部ＲＵが、第２検出グループＧｒ２から出力される電気信号を測定することができる。第２検出グループＧｒ２は、第２検出電極Ｒｘ２及び第３検出電極Ｒｘ３を含んでもよい。信号測定部ＲＵは、電気信号を測定する検出グループＧｒの順番を順次に変更することができる。信号測定部ＲＵが、電気信号を測定する検出グループＧｒの順番を変更することにより、活性化された領域ＲＥの位置が横方向に動くことになる。第２検出グループＧｒ２によって活性化される領域ＲＥ１２は、第１検出グループＧｒ１によって活性化される領域ＲＥ１１と互いに重畳されるチャネルＣＨ２１，ＣＨ２２を含んでもよい。
【００５７】
信号測定部ＲＵは、検出グループＧｒの順番が変わるたびに、検出グループＧｒに含まれた複数の検出電極Ｒｘの順番を順次に変更させることができる。例示的には、信号測定部ＲＵは、検出グループＧｒの順番が１ずつ増加するたびに、検出グループＧｒに含まれた複数の検出電極Ｒｘの順番を１ずつさらに増加させることができる。すなわち、図４及び図５に図示されているように、第１検出グループＧｒ１が、第１検出電極Ｒｘ１及び第２検出電極Ｒｘ２を含めば、第２検出グループＧｒ２は、第２検出電極Ｒｘ２及び第３検出電極Ｒｘ３を含んでもよい。すなわち、任意のｎ番目検出グループＧｒｎは、ｎ番目検出電極Ｔｘｎ及び（ｎ＋１）番目検出電極Ｔｘｎ＋１を含んでもよい。
【００５８】
図８は、一実施形態により、ドライバＤＵが、駆動信号を印加する駆動グループの順番を変更した例を示した図である。
【００５９】
図８を参照すれば、ドライバＤＵは、第１駆動グループＧｄ１と異なる第２駆動グループＧｄ２に、ドライバＤＵが駆動信号Ｓ２を印加することができる。ドライバＤＵは、第１駆動グループＧｄ１に駆動信号Ｓ１を印加した時点より遅い時点で、第２駆動グループＧｄ２に駆動信号Ｓ２を印加することができる。従って、第２駆動グループＧｄ２に印加される駆動信号Ｓ２のパルスピークは、第１駆動グループＧｄ１に印加される駆動信号Ｓ１のパルスピークより時間的に遅延される。第２駆動グループＧｄ２によって活性化される領域ＲＥ２１は、第１駆動グループＧｄ１によって活性化される領域ＲＥ１１と互いに重畳されるチャネルＣＨ２１，ＣＨ２２を含んでもよい。ドライバＤＵが駆動信号を印加する駆動グループＧｄの順番を変更することにより、活性化領域ＲＥの位置が縦方向に動くことができる。
【００６０】
以上において、複数の検出グループＧｒそれぞれを、順番を付して示したが、前記順番が、信号測定部ＲＵで信号を測定する順序を制限するものではない。例えば、信号測定部ＲＵは、第１検出グループＧｒ１から出力される電気信号を測定した後、第３検出グループＧｒ３から出力される電気信号を測定し、第２検出グループＧｒ２から出力される電気信号を測定することもできる。
【００６１】
また、図６ないし図８においては、検出グループＧｒが、２つの検出電極Ｒｘを含むように例示的に示されているが、本実施形態は、それに制限されるものではない。例えば、検出グループＧｒは、（ｋ＋１）個（ｋは、任意の自然数）の検出電極Ｒｘを含んでもよい。例えば、ｎ番目（ｎは、任意の自然数）検出グループＧｒｎは、ｎ番目検出電極Ｒｘｎないし（ｎ＋ｋ）番目検出電極Ｒｘ（ｎ＋ｋ）を含んでもよい。
【００６２】
図９は、一実施形態により、活性化された領域が、３×３個のチャネルを含む例を示した図である。
【００６３】
図９を参照すれば、駆動グループＧｄが、３個の駆動電極Ｔｘを含み、検出グループＧｒが３個の検出電極Ｒｘを含んでもよい。例えば、第１駆動グループＧｄ１は、第１駆動電極Ｔｘ１、第２駆動電極Ｔｘ２及び第３駆動電極Ｔｘ３を含み、第１検出グループＧｒ１は、第１検出電極Ｒｘ２、第２検出電極Ｒｘ２及び第３検出電極Ｒｘ３を含んでもよい。そして、第１駆動グループＧｄ１及び第１検出グループＧｒ１によって活性化された領域ＲＥ１１は、３×３個のチャネルを含んでもよい。
【００６４】
図１０Ａ及び図１０Ｂは、一実施形態により、センシング回路を利用し、サブピクセルアレイ及びスーパーピクセルアレイを生成する過程について説明するための図である。
【００６５】
図１０Ａを参照すれば、センシング回路１０００は、複数の駆動電極Ｔｘ１ないしＴｘ３と、複数の検出電極Ｒｘ１ないしＲｘ３を含んでもよい。複数の駆動電極Ｔｘ１ないしＴｘ３と、複数の検出電極Ｒｘ１ないしＲｘ３とのそれぞれが互いに交差して形成される複数のノードＮ１ないしＮ９は、駆動電極と検出電極との相互静電容量を示す。例えば、Ｒｘ１とＴｘ１とが交差する地点に形成されるＮ１は、Ｒｘ１とＴｘ１との相互静電容量を示す。
【００６６】
一実施形態においてＴｘ１に電気信号が印加され、Ｒｘ１が活性化され、Ｎ１が活性化され、センシング回路１０００の信号測定部においては、Ｎ１に対応する相互静電容量、すなわち、Ｔｘ１とＲｘ１との相互静電容量を測定することができる。
【００６７】
映像データ処理装置は、信号測定部から、複数の活性化されたノードＮ１ないしＮ９それぞれに対応する複数の相互静電容量を受信し、複数の相互静電容量それぞれを、複数のサブピクセルに変換することができる。また、映像データ処理装置は、複数のサブピクセルによって構成されたサブピクセルアレイの映像データを生成することができる。図１０Ａを参照すれば、３ｘ３サイズを有するサブピクセルアレイを構成する９個のサブピクセルは、センシング回路１０００の９個のノードＮ１ないしＮ９に対応する。
【００６８】
図１０Ａのような高解像度のセンシング回路１０００の場合、複数の駆動電極Ｔｘ１ないしＴｘ３の間隔、及び複数の検出電極Ｒｘ１ないしＲｘ３の間隔が非常に狭くなる。その場合、携帯電話強化ガラスのように、厚い保護層下にセンサが位置するとき、感度低下が生じてしまう。
【００６９】
図１０Ｂを参照すれば、センシング感度を高めるために、センシング回路１０００は、複数の駆動電極Ｔｘ１ないしＴｘ３を、複数の駆動グループにグループ化し、複数の駆動グループそれぞれに、順次に電気信号を印加し、複数の検出電極Ｒｘ１ないしＲｘ３を複数の検出グループにグループ化し、複数の検出グループそれぞれを順次に活性化させることができる。
【００７０】
一実施形態において、センシング回路１０００は、Ｒｘ１及びＲｘ２をグループ化し、第１検出グループ１０１１を設定し、Ｒｘ２及びＲｘ３をグループ化し、第２検出グループ１０１２を設定することができる。同じ方式により、センシング回路１０００は、Ｔｘ１及びＴｘ２をグループ化し、第１駆動グループ１０２１を設定し、Ｔｘ２及びＴｘ３をグループ化し、第２駆動グループ１０２２を設定することができる。
【００７１】
第１駆動グループ１０２１に電気信号が印加され、第１検出グループ１０１１が活性化されれば、第１個別活性化領域１０３１に含まれた複数のノードＮ１，Ｎ２，Ｎ４及びＮ５がいずれも活性化され、信号測定部においては、複数のノードＮ１，Ｎ２，Ｎ４及びＮ５の全体に係わる相互静電容量を測定することができる。すなわち、該信号測定部で測定される相互静電容量は、複数のノードＮ１，Ｎ２，Ｎ４及びＮ５それぞれに対応する複数の相互静電容量の総和でもある。映像データ処理装置は、センシング回路１０００の信号測定部から、複数の活性化されたノードＮ１，Ｎ２，Ｎ４及びＮ５の全体に係わる相互静電容量を受信し、受信された相互静電容量をスーパーピクセル（ｓｕｐｅｒ−ｐｉｘｅｌ）に変換することができる。
【００７２】
そのような方式により、映像データ処理装置は、第２個別活性化領域１０３２、第３個別活性化領域１０３３及び第４個別活性化領域１０３４のそれぞれに含まれた複数のノード全体に係わる相互静電容量を受信し、受信された相互静電容量をスーパーピクセルに変換することができる。また、該映像データ処理装置は、複数のスーパーピクセルによって構成されたスーパーピクセルアレイの映像データを生成することができる。
【００７３】
図１０Ａのように、１つの駆動電極に電気信号を印加し、１つの検出電極を活性化させる方式と異なり、図１０Ｂにおいては、複数の駆動電極で構成された駆動グループに電気信号を印加し、複数の検出電極で構成された検出グループを活性化させることができる。すなわち、駆動グループに電気信号が印加され、検出グループから電気信号を検出することにより、センシング回路１０００の個別電極に印加される電気信号の強度を増強させることと同一効果を出すことができる。その結果、センシング回路１０００の感度が向上される。
【００７４】
一方、図１０Ａの映像データ処理装置は、９個のノードＮ１ないしＮ９それぞれに対応する相互静電容量をサブピクセルに変換することにより、複数のサブピクセルによって構成された３ｘ３サイズを有するサブピクセルアレイの映像データを生成することができる。一方、図１０Ｂの映像データ処理装置は、４個の第１ないし第４の個別活性化領域１０３１ないし１０３４それぞれに含まれた複数のノード全体に係わる相互静電容量を、スーパーピクセルに変換することにより、複数のスーパーピクセルによって構成された２ｘ２サイズを有するスーパーピクセルアレイの映像データを生成することができる。
【００７５】
すなわち、図１０Ａのサブピクセルアレイの映像データの解像度と比較し、図１０Ｂのスーパーピクセルアレイ（２ｘ２）の映像データの解像度は、低くなる。以下においては、該スーパーピクセルアレイの映像データの解像度を高めるために、該スーパーピクセルアレイの映像データを、サブピクセルアレイの映像データに変換する方法に対して詳細に説明する。
【００７６】
図１１は、一実施形態により、スーパーピクセルアレイをサブピクセルアレイに変換する概略的な方法について説明するための図である。
【００７７】
センシング回路１１００に含まれた複数の駆動電極Ｔｘ１ないしＴｘ３と，複数の検出電極Ｒｘ１ないしＲｘ３とのそれぞれが交差することにより、９個のノードＮ１ないしＮ９が形成される。センシング回路１１００は、センシング感度を高めるために、複数の駆動電極Ｔｘ１ないしＴｘ３を、複数の駆動グループにグループ化し、複数の駆動グループそれぞれに、順次に電気信号を印加し、複数の検出電極Ｒｘ１ないしＲｘ３を複数の検出グループにグループ化し、複数の検出グループそれぞれから、順次に電気信号を検出することができる。
【００７８】
センシング回路１１００は、Ｔｘ１及びＴｘ２をグループ化し、第１駆動グループ１１１１を設定し、Ｔｘ２及びＴｘ３をグループ化し、第２駆動グループ１１１２を設定することができる。同一方式により、センシング回路１１００は、Ｒｘ１及びＲｘ２をグループ化し、第１検出グループ１１０１を設定し、Ｒｘ２及びＲｘ３をグループ化し、第２検出グループ１１０２を設定することができる。
【００７９】
一方、図１１では３個の駆動電極Ｔｘ１ないしＴｘ３のうち、互いに隣接する２個の駆動電極Ｔｘがグループ化され、３個の検出電極Ｒｘ１ないしＲｘ３のうち、互いに隣接する２個の検出電極Ｒｘがグループ化されるように図示されているが、センシング回路１１００を構成する駆動電極Ｔｘと検出電極Ｒｘとの個数、及びグループ化方式は、それに制限されるものではない。
【００８０】
一実施形態において、第１駆動グループ１１１１に電気信号が印加され、第１検出グループ１１０１が活性化されれば、個別活性化領域１１５１に含まれた複数のノードＮ１，Ｎ２，Ｎ４及びＮ５がいずれも活性化され、信号測定部においては、活性化された複数のノードＮ１，Ｎ２，Ｎ４及びＮ５の全体に係わる相互静電容量を測定することができる。
【００８１】
すなわち、該信号測定部で測定される相互静電容量は、複数のノードＮ１，Ｎ２，Ｎ４及びＮ５それぞれに対応する複数の相互静電容量の総和でもある。映像データ処理装置は、センシング回路１１００の信号測定部から、複数の活性化されたノードＮ１，Ｎ２，Ｎ４及びＮ５の全体に係わる相互静電容量を受信し、受信された相互静電容量をスーパーピクセルＳ１，１に変換することができる。
【００８２】
映像データ処理装置は、そのような方式により、複数のスーパーピクセルＳ１，１，Ｓ１，２，Ｓ２，１，Ｓ２，２を獲得し、複数のスーパーピクセルＳ１，１，Ｓ１，２，Ｓ２，１，Ｓ２，２で構成された２ｘ２サイズを有するスーパーピクセルアレイ１１２０の映像データを生成することができる。
【００８３】
一方、スーパーピクセルアレイ１１２０の大きさは、個別活性化領域の大きさと、センシング回路１１００に含まれたノードの個数とに基づいても決定される。ここで、個別活性化領域の大きさは、駆動グループ及び検出グループのそれぞれに含まれた電極の個数によって決定され、ノードは、駆動電極と検出電極とが互いに交差して形成されるので、センシング回路１１００を構成する駆動電極及び検出電極のそれぞれの個数によって決定される。
【００８４】
一実施形態において、個別活性化領域の大きさがｐ×ｑであり、ノードの個数が（Ｍ＋ｑ−１）×（Ｎ＋ｐ−１）の場合、スーパーピクセルアレイ１１２０の大きさは、Ｍ×Ｎになる。図１１を参照すれば、個別活性化領域１１５１の大きさは、２ｘ２であり、センシング回路１１００に含まれたノードの個数が９個（３ｘ３）であるので、スーパーピクセルアレイ１１２０の大きさは、２ｘ２になる。
【００８５】
映像データ処理装置は、２ｘ２サイズを有するスーパーピクセルアレイ１１２０を、３ｘ３サイズを有するサブピクセルアレイ１１３０に変換することができる。スーパーピクセルアレイ１１２０を、サブピクセルアレイ１１３０に変換するためには、サブピクセルアレイ１１３０が、全９個のサブピクセルによって構成されるので、既獲得の４個のスーパーピクセルＳ１，１，Ｓ１，２，Ｓ２，１，Ｓ２，２以外に、サブピクセルアレイ１１３０と係わりがある少なくとも５個以上の値を追加してさらに獲得する必要がある。
【００８６】
スーパーピクセルアレイ１１２０を、サブピクセルアレイ１１３０に変換するために、追加して必要な値を獲得するために、センシング回路１１００は、個別駆動電極Ｔｘに電気信号を印加して個別検出電極Ｒｘを活性化させ、統合活性化領域１１４０内の一部ノードを、個別的に活性化させることができる。一方、統合活性化領域１１４０は、スーパーピクセルアレイ１１２０を生成するのに利用されたセンシング回路１１００上の全てのノードＮ１ないしＮ９を含む領域である。
【００８７】
一実施形態において、映像データ処理装置は、サブピクセルアレイ１１３０内の第１領域１１３１を構成する５個の第１サブピクセルｘ１，１，ｘ１，２，ｘ１，３，ｘ２，１，ｘ３，１の値を獲得することができる。図１１においては、第１領域１１３１がサブピクセルアレイ１１３０の上端及び左側に位置した５個のサブピクセルを含むように図示されているが、サブピクセルアレイ１１３０内の第１領域１１３１の位置は、それに制限されるものではない。例えば、第１領域１１３１は、サブピクセルアレイ１１３０の下端及び右側に位置した５個のサブピクセルを含んだり、サブピクセルアレイ１１３０の端に位置した８個のサブピクセルを含んだりするようにも形成される。
【００８８】
映像データ処理装置は、４個のスーパーピクセルＳ１，１，Ｓ１，２，Ｓ２，１，Ｓ２，２、及び５個の第１サブピクセルｘ１，１，ｘ１，２，ｘ１，３，ｘ２，１，ｘ３，１の値を利用し、サブピクセルアレイ１１３０内の第２領域１１３２を構成する４個の第２サブピクセルｘ２，２，ｘ２，３，ｘ３，２，ｘ３，３の値を算出することができる。映像データ処理装置は、５個の第１サブピクセルｘ１，１，ｘ１，２，ｘ１，３，ｘ２，１，ｘ３，１の値、及び４個の第２サブピクセルｘ２，２，ｘ２，３，ｘ３，２，ｘ３，３の値を利用し、２ｘ２サイズを有するスーパーピクセルアレイ１１２０を、３ｘ３サイズを有するサブピクセルアレイ１１３０に変換することができる。
【００８９】
図１２は、一実施形態により、スーパーピクセルとサブピクセルとの関係について説明するための図である。
【００９０】
映像データ処理装置は、スーパーピクセルアレイをサブピクセルアレイに変換することができる。図１１で説明したように、映像データ処理装置は、２ｘ２サイズを有するスーパーピクセルアレイ１２１０を、３ｘ３サイズを有するサブピクセルアレイ１２２０に変換することができる。図１２を参照すれば、スーパーピクセルアレイ１２１０を構成するスーパーピクセルと、サブピクセルアレイ１２２０を構成するサブピクセルとの関係は、下記数式１のように示すことができる。
【００９１】
【数１】
2020013569.tif 000003
【００９２】
個別活性化領域の大きさがｐ×ｑであり、スーパーピクセルアレイ１２１０の大きさがＭ×Ｎであるとき、数式１のスーパーピクセルとサブピクセルとの関係を一般化させて表現すれば、
【００９３】
【数２】
2020013569.tif 000004
【００９４】
数式１で表現されたスーパーピクセルとサブピクセルアレイとの関係を行列で表現すれば、数式３のように示すことができる。
【００９５】
【数３】
2020013569.tif 000005
【００９６】
一方、スーパーピクセルとサブピクセルとの関係をベクトルで表現することもできる。その場合、スーパーピクセルアレイ１２１０を構成するスーパーピクセルと、サブピクセルアレイ１２２０を構成するサブピクセルとの関係は下記数式４のように示すことができる。
【００９７】
【数４】
2020013569.tif 000006
【００９８】
映像データ処理装置は、センシング回路上の個別活性化領域に含まれた複数のノードに対応する相互静電容量を、スーパーピクセルに変換することができる。該個別活性化領域の大きさがｐ×ｑであり、スーパーピクセルアレイ１２１０の大きさがＭ×Ｎであるとき、数式４のスーパーピクセルとサブピクセルとのベクトル関係を一般化させて表現すれば、
【００９９】
【数５】
2020013569.tif 000007
【０１００】
数式４で表現されたスーパーピクセルアレイ１２１０と、サブピクセルアレイ１２２０との関係を行列で表現すれば、数式６のように示すことができる。
【０１０１】
【数６】
2020013569.tif 000008
【０１０２】
個別活性化領域の大きさがｐ×ｑであり、スーパーピクセルアレイ１２１０の大きさがＭ×Ｎであるとき、前記数式４のスーパーピクセルとサブピクセルとの行列関係を一般化させて表現すれば、
【０１０３】
【数７】
2020013569.tif 000009
【０１０４】
【数８】
2020013569.tif 000010
【０１０５】
【数９】
2020013569.tif 000011
【０１０６】
ここで、用語「ピッチ」は、個別活性化領域がセンシング回路上で移動するとき、いくつのノードをシフトさせながら移動するかということを示す移動距離の単位である。
【０１０７】
図１１を参照して説明すれば、３ｘ３サイズを有する統合活性化領域１１４０内において、２ｘ２サイズを有する個別活性化領域１１５１が１ピッチずつ移動することにより、個別活性化領域１１５１内の複数ノード（例えば、（Ｎ１、Ｎ２、Ｎ４、Ｎ５）、（Ｎ２、Ｎ３、Ｎ５、Ｎ６）、（Ｎ４、Ｎ５、Ｎ７、Ｎ８）及び（Ｎ５、Ｎ６、Ｎ８、Ｎ９））が決定される。
【０１０８】
【数１０】
2020013569.tif 000012
【０１０９】
【数１１】
2020013569.tif 000013
【０１１０】
以下においては、説明の便宜上、スーパーピクセルとサブピクセルとのベクトル関係に基づいて、スーパーピクセルアレイをサブピクセルアレイに変換する方法について説明する。
【０１１１】
図１３は、一実施形態により、スーパーピクセルアレイをサブピクセルアレイに変換する方法について説明するための図である。
【０１１２】
映像データ処理装置は、センシング回路のセンシング感度を高めるために、複数の駆動電極を、複数の駆動グループにグループ化し、複数の駆動グループそれぞれに順次に電気信号を印加し、複数の検出電極を、複数の検出グループにグループ化し、複数の検出グループそれぞれから、順次に電気信号を検出することができる。
【０１１３】
特定駆動グループに電気信号が印加され、特定検出グループが選択されれば、個別活性化領域に含まれた複数のノードが活性化され、該映像データ処理装置は、活性化された複数のノード全体に係わる相互静電容量に対応する信号を受信し、受信された相互静電容量を、スーパーピクセルに変換することができる。
【０１１４】
【数１２】
2020013569.tif 000014
【０１１５】
図１３を参照すれば、スーパーピクセルアレイ１３２０をサブピクセルアレイ１３３０に変換するために、追加して必要な値を獲得するために、センシング回路１３００は、個別駆動電極Ｔｘに電気信号を印加し、個別検出電極Ｒｘを選択し、統合活性化領域１３１０内の一部ノードを個別的に活性化させることができる。ここで、統合活性化領域１３１０は、スーパーピクセルアレイ１３２０の生成に利用されたセンシング回路１３００上の全てのノードＮ１ないしＮ９を含む領域である。
【０１１６】
該映像データ処理装置は、個別的に活性化された一部ノードに対応する相互静電容量を受信し、受信した相互静電容量をサブピクセルに変換することにより、サブピクセルアレイ１３３０を構成する一部サブピクセルの値を獲得することができる。
【０１１７】
【数１３】
2020013569.tif 000015
【０１１８】
【数１４】
2020013569.tif 000016
【０１１９】
【数１５】
2020013569.tif 000017
【０１２０】
【数１６】
2020013569.tif 000018
【０１２１】
数式１５の４個の方程式を行列で表現すれば、数式１７のように示すことができる。
【０１２２】
【数１７】
2020013569.tif 000019
【０１２３】
数式１８ないし数式２１を介して、数式１７に表示された数式について、さらに詳細に説明する。
【０１２４】
【数１８】
2020013569.tif 000020
【０１２５】
【数１９】
2020013569.tif 000021
【０１２６】
【数２０】
2020013569.tif 000022
【０１２７】
【数２１】
2020013569.tif 000023
【０１２８】
スーパーピクセルアレイをサブピクセルアレイに変換するために、追加して必要な値を獲得するために、該センシング回路は、該個別駆動電極に電気信号を印加し、該個別検出電極を選択し、統合活性化領域内の一部ノードを個別的に活性化させることができる。
【０１２９】
該映像データ処理装置は、個別的に活性化された一部ノードに対応する相互静電容量を受信し、受信した相互静電容量をサブピクセルに変換することにより、サブピクセルアレイを構成する一部サブピクセルの値（以下において、第１サブピクセルの値）を獲得することができる。すなわち、該映像データ処理装置は、個別的に活性化された一部ノードから、第１サブピクセルの値を獲得することができる。
【０１３０】
【数２２】
2020013569.tif 000024
【０１３１】
【数２３】
2020013569.tif 000025
【０１３２】
【数２４】
2020013569.tif 000026
【０１３３】
【数２５】
2020013569.tif 000027
【０１３４】
図１４は、一実施形態により、スーパーピクセルアレイをサブピクセルアレイに変換する方法について説明するための図である。
【０１３５】
図１４を参照すれば、スーパーピクセルアレイ１４２０をサブピクセルアレイ１４３０に変換するために、追加して必要な値を獲得するために、センシング回路１４００は、個別駆動電極Ｔｘに電気信号を印加し、個別検出電極Ｒｘを選択し、統合活性化領域１４１０内の一部ノードを個別的に活性化させることができる。統合活性化領域１４１０は、スーパーピクセルアレイ１４２０を生成するのに利用されたセンシング回路１４００上の全てのノードＮ１ないしＮ９を含む領域である。
【０１３６】
映像データ処理装置は、個別的に活性化された一部ノードに対応する相互静電容量を受信し、受信した相互静電容量をサブピクセルに変換することにより、サブピクセルアレイ１４３０を構成する一部サブピクセルの値を獲得することができる。
【０１３７】
【数２６】
2020013569.tif 000028
【０１３８】
【数２７】
2020013569.tif 000029
【０１３９】
【数２８】
2020013569.tif 000030
【０１４０】
【数２９】
2020013569.tif 000031
【０１４１】
数式２９に表示された数式については、図１３で説明した内容を参照する。
【０１４２】
図１５は、一実施形態により、スーパーピクセルアレイをサブピクセルアレイに変換する概略的な方法について説明するための図である。
【０１４３】
センシング回路１５００に含まれた複数の駆動電極Ｔｘ１ないしＴｘ４と、複数の検出電極Ｒｘ１ないしＲｘ４とのそれぞれが交差して、１６個のノードＮ１ないしＮ１６が形成される。センシング回路１５００は、センシング感度を高めるために、複数の駆動電極Ｔｘ１ないしＴｘ４を複数の駆動グループにグループ化し、複数の駆動グループそれぞれに順次に電気信号を印加し、複数の検出電極Ｒｘ１ないしＲｘ４を複数の検出グループにグループ化し、複数の検出グループそれぞれから、順次に電気信号を検出することができる。
【０１４４】
センシング回路１５００は、Ｔｘ１ないしＴｘ３をグループ化して、第１駆動グループ１５１１を設定し、Ｔｘ２ないしＴｘ４をグループ化して、第２駆動グループ１５１２を設定することができる。同じ方式により、センシング回路１５００は、Ｒｘ１ないしＲｘ３をグループ化して、第１検出グループ１５０１を設定し、Ｒｘ２ないしＲｘ４をグループ化して、第２検出グループ１５０２を設定することができる。
【０１４５】
一実施形態において、第１駆動グループ１５１１に電気信号が印加され、第１検出グループ１５０１が選択されれば、個別活性化領域１５５１に含まれた複数のノードＮ１ないしＮ３，Ｎ５ないしＮ７及びＮ９ないしＮ１１がいずれも活性化され、信号測定部においては、活性化された複数のノードＮ１ないしＮ３，Ｎ５ないしＮ７及びＮ９ないしＮ１１全体に係わる相互静電容量を測定することができる。すなわち、該信号測定部で測定される相互静電容量は、複数のノードＮ１ないしＮ３，Ｎ５ないしＮ７及びＮ９ないしＮ１１それぞれに対応する複数の相互静電容量の総和でもある。該映像データ処理装置は、センシング回路１５００の信号測定部から、複数の活性化されたノードＮ１ないしＮ３，Ｎ５ないしＮ７及びＮ９ないしＮ１１全体に係わる相互静電容量を受信し、受信された相互静電容量をスーパーピクセルＳ１，１に変換することができる。
【０１４６】
該映像データ処理装置は、そのような方式により、複数のスーパーピクセルＳ１，１，Ｓ１，２，Ｓ２，１，Ｓ２，２を獲得し、複数のスーパーピクセルＳ１，１，Ｓ１，２，Ｓ２，１，Ｓ２，２で構成された２ｘ２サイズを有するスーパーピクセルアレイ１５２０の映像データを生成することができる。
【０１４７】
【数３０】
2020013569.tif 000032
【０１４８】
該映像データ処理装置は、２ｘ２サイズを有するスーパーピクセルアレイ１５２０を、４ｘ４大きさを有するサブピクセルアレイ１５３０に変換することができる。スーパーピクセルアレイ１５２０を、サブピクセルアレイ１５３０に変換するためには、既獲得の４個のスーパーピクセルＳ１，１，Ｓ１，２，Ｓ２，１，Ｓ２，２以外にも、サブピクセルアレイ１５３０と係わりがある１２個以上の値を追加してさらに獲得する必要がある。
【０１４９】
スーパーピクセルアレイ１５２０をサブピクセルアレイ１５３０に変換するために、追加して必要な値を獲得するために、センシング回路１５００は、個別駆動電極Ｔｘに電気信号を印加し、個別検出電極Ｒｘを選択し、統合活性化領域１５４０内の一部ノードを個別的に活性化させることができる。ここで、統合活性化領域１５４０は、スーパーピクセルアレイ１５２０を生成するのに利用されたセンシング回路１５００上の全てのノードＮ１ないしＮ１６を含む領域である。
【０１５０】
一実施形態において、映像データ処理装置は、サブピクセルアレイ１５３０内の第１領域１５３１を構成する１２個の第１サブピクセルｘ１，１ないしｘ１，４，ｘ２，１，ｘ２，４，ｘ３，１，ｘ３，４，ｘ４，１ないしｘ４，４の値を獲得することができる。一方、図１５においては、第１領域１５３１がサブピクセルアレイ１５３０のエッジに位置した１２個のサブピクセルを含むように図示されているが、サブピクセルアレイ１５３０内の第１領域１５３１の位置は、それに制限されるものではない。
【０１５１】
該映像データ処理装置は、４個のスーパーピクセルＳ１，１，Ｓ１，２，Ｓ２，１，Ｓ２，２、及び１２個の第１サブピクセルｘ１，１ないしｘ１，４，ｘ２，１，ｘ２，４，ｘ３，１，ｘ３，４，ｘ４，１ないしｘ４，４の値を利用し、サブピクセルアレイ１５３０内の第２領域１５３２を構成する４個の第２サブピクセルｘ２，２，ｘ２，３，ｘ３，２，ｘ３，３の値を算出することができる。該映像データ処理装置は、１２個の第１サブピクセルｘ１，１ないしｘ１，４，ｘ２，１，ｘ２，４，ｘ３，１，ｘ３，４，ｘ４，１ないしｘ４，４の値、及び４個の第２サブピクセルｘ２，２，ｘ２，３，ｘ３，２，ｘ３，３の値を利用し、２ｘ２サイズを有するスーパーピクセルアレイ１５２０を、４ｘ４サイズを有するサブピクセルアレイ１５３０に変換することができる。
【０１５２】
図１６は、一実施形態によるスーパーピクセルとサブピクセルとの関係について説明するための図である。
【０１５３】
該映像データ処理装置は、スーパーピクセルアレイをサブピクセルアレイに変換することができる。図１５で説明したように、該映像データ処理装置は、２ｘ２サイズを有するスーパーピクセルアレイ１６１０を、４ｘ４サイズを有するサブピクセルアレイ１６２０に変換することができる。図１６を参照すれば、スーパーピクセルアレイ１６１０を構成するスーパーピクセルと、サブピクセルアレイ１６２０を構成するサブピクセルとの関係は、下記数式３１のように示すことができる。
【０１５４】
【数３１】
2020013569.tif 000033
【０１５５】
【数３２】
2020013569.tif 000034
【０１５６】
【数３３】
2020013569.tif 000035
【０１５７】
一方、スーパーピクセルとサブピクセルとの関係をベクトルで表現することもできる。その場合、スーパーピクセルアレイ１６１０を構成するスーパーピクセルと、サブピクセルアレイ１６２０を構成するサブピクセルとの関係は、下記数式３４のように示すことができる。
【０１５８】
【数３４】
2020013569.tif 000036
【０１５９】
該映像データ処理装置は、センシング回路上の個別活性化領域に含まれた複数のノードに対応する相互静電容量をスーパーピクセルに変換することができる。該個別活性化領域の大きさがｐ×ｑであり、スーパーピクセルアレイ１２１０の大きさがＭ×Ｎであるとき、数式３４のスーパーピクセルとサブピクセルとのベクトル関係を一般化させて表現すれば、
【０１６０】
【数３５】
2020013569.tif 000037
【０１６１】
数式３４で表現されたスーパーピクセルアレイ１６１０を構成するスーパーピクセルと、サブピクセルアレイ１６２０を構成するサブピクセルとの関係を行列で表現すれば、数式３６のように示すことができる。
【０１６２】
【数３６】
2020013569.tif 000038
【０１６３】
以下では、説明の便宜上、スーパーピクセルとサブピクセルとのベクトル関係に基づいて、スーパーピクセルアレイをサブピクセルアレイに変換する方法について説明する。
【０１６４】
図１７は、一実施形態により、スーパーピクセルアレイをサブピクセルアレイに変換する方法について説明するための図である。
【０１６５】
該映像データ処理装置は、該センシング回路は、センシング感度を高めるために、複数の駆動電極を、複数の駆動グループにグループ化し、複数の駆動グループそれぞれに、順次に電気信号を印加し、複数の検出電極を、複数の検出グループにグループ化し、複数の検出グループそれぞれから、順次に電気信号を検出することができる。
【０１６６】
特定駆動グループに電気信号が印加され、特定検出グループが活性化されることにより、個別活性化領域に含まれた複数のノードが活性化され、該映像データ処理装置は、活性化された複数のノード全体に係わる相互静電容量に対応する信号を受信し、受信された相互静電容量を、スーパーピクセルに変換することができる。
【０１６７】
【数３７】
2020013569.tif 000039
【０１６８】
図１７を参照すれば、スーパーピクセルアレイ１７２０をサブピクセルアレイ１７３０に変換するために、追加して必要な値を獲得するために、センシング回路１７００は、個別駆動電極Ｔｘに電気信号を印加し、個別検出電極Ｒｘを選択し、統合活性化領域１７１０内の一部ノードを個別的に活性化させることができる。ここで、統合活性化領域１７１０は、スーパーピクセルアレイ１７２０を生成するのに利用されたセンシング回路１７００上の全てのノードＮ１ないしＮ１６を含む領域である。
【０１６９】
該映像データ処理装置は、個別的に活性化された一部ノードに対応する相互静電容量を受信し、受信した相互静電容量をサブピクセルに変換することにより、サブピクセルアレイ１７３０を構成する一部サブピクセルの値を獲得することができる。
【０１７０】
【数３８】
2020013569.tif 000040
【０１７１】
図１８は、一実施形態により、センシング回路の駆動電極及び検出電極のうち一部に、固定電位を印加する例について説明するための図である。
【０１７２】
図１８を参照すれば、センシング回路１８００は、センシング回路１８００上に形成された複数のノードＮのうち少なくとも２以上のノードに既設定の固定電位を印加する電極１８１０をさらに含んでもよい。電極１８１０は、透明電極（ＩＴＯ（ｉｎｄｉｕｍ  ｔｉｎ  ｏｘｉｄｅ））を含んでもよい。
【０１７３】
電極１８１０は、グラウンドとも連結される。その場合、電極１８１０は、電極１８１０と接するチャネルの電位を、グラウンド電位のようにすることができる。しかし、本実施形態は、それに制限されるものではない。電極１８１０は、所定の電源と連結され、前記電源により、電極１８１０の電位が、既設定の固定電位にも維持される。
【０１７４】
一実施形態において、電極１８１０は、センシング回路１８００の上端及び左側に位置した複数のノードＮ１ないしＮ３，Ｎ４，Ｎ７に固定電位を印加することができる。電極１８１０がグラウンドに接地された場合、固定電位値は、グラウンド電位値と同一でもある。しかし、本実施形態は、それに制限されるものではない。例えば、電極１８１０が、所定の電源に連結された場合、該固定電位値は、グラウンド電位値と異なる。
【０１７５】
センシング回路１８００の上端に位置した複数のノードＮ１ないしＮ４，Ｎ７に、一定サイズの固定電位を持続的に印加すれば、複数のノードＮ１ないしＮ４，Ｎ７での相互静電容量は、一定である。すなわち、ユーザの指タッチいかんにかかわらず、上端に位置した複数のノードＮ１ないしＮ４，Ｎ７に対応する相互静電容量は、固定されている。
【０１７６】
【数３９】
2020013569.tif 000041
【０１７７】
図１９は、一実施形態により、個別活性化領域に含まれた一部のノードのみを活性化させ、スーパーピクセルとサブピクセルとの関係を示す方法について説明するための図である。
【０１７８】
該センシング回路は、複数の駆動電極Ｔｘ１ないしＴｘ４を、複数の駆動グループにグループ化し、複数の駆動グループそれぞれに順次に電気信号を印加し、複数の検出電極Ｒｘ１ないしＲｘ４を、複数の検出グループにグループ化し、複数の検出グループそれぞれから、順次に電気信号を検出することができる。
【０１７９】
該個別駆動グループに電気信号が印加され、個別検出グループが選択されれば、個別活性化領域１９１１ａないし１９１１ｄに含まれた複数のノードがいずれも活性化され、信号測定部においては、複数のノード全体に係わる相互静電容量を測定することができる。すなわち、信号測定部で測定される相互静電容量は、複数のノードそれぞれに対応する複数の相互静電容量の総和でもある。
【０１８０】
該映像データ処理装置は、センシング回路の信号測定部から、複数の活性化されたノード全体に係わる相互静電容量を受信し、受信された相互静電容量をスーパーピクセルに変換することができる。また、映像データ処理装置は、複数のスーパーピクセルによって構成されたスーパーピクセルアレイ１９２０の映像データを生成することができる。
【０１８１】
【数４０】
2020013569.tif 000042
【０１８２】
【数４１】
2020013569.tif 000043
【０１８３】
該映像データ処理装置は、前述の過程を介して、数式４，６，３１及び３３のように、スーパーピクセルとサブピクセルとの関係を示すことができる。前述のスーパーピクセルとサブピクセルとの関係を表現する方法は、図１２及び図１６の内容を参照する。
【０１８４】
図２０は、一実施形態により、スーパーピクセルアレイの映像データを、サブピクセルアレイの映像データに変換する方法について説明するフローチャートである。
【０１８５】
一実施形態において、該映像データ処理装置は、センシング回路を含んでもよい。該映像データ処理装置は、該センシング回路を制御することにより、該センシング回路から、複数のスーパーピクセル及び複数のサブピクセルを獲得することができる。他の実施形態において、該センシング回路は、該映像データ処理装置の外部にも位置する。該映像データ処理装置は、該センシング回路から、複数のスーパーピクセル及び複数のサブピクセル関連データを受信することができる。
【０１８６】
以下においては、説明の便宜上、映像データ処理装置内にセンシング回路を含む実施形態について説明する。
【０１８７】
図２０を参照すれば、段階２０１０において、該映像データ処理装置は、センシング回路上の個別活性化領域を、所定ピッチずつ移動させることにより、所定個数の駆動電極、及び所定個数の検出電極を動作させ、個別活性化領域内の複数ノードを活性化させることにより、複数のスーパーピクセルを獲得することができる。
【０１８８】
また、該映像データ処理装置は、複数のスーパーピクセルによって構成されたスーパーピクセルアレイの映像データを生成することができる。
【０１８９】
一実施形態において、該個別活性化領域は、センシング回路上において、所定ピッチずつ移動することができる。ここで、用語「ピッチ」は、該個別活性化領域が、センシング回路上で移動するとき、いくつのノードをシフトしながら移動するかということを示す移動距離の単位である。該個別活性化領域は、センシング回路上において、所定ピッチずつ移動することにより、該個別活性化領域に含まれる複数のノードの種類が異なる。
【０１９０】
該センシング回路は、複数の駆動電極を、複数の駆動グループにグループ化し、複数の検出電極を、複数の検出グループにグループ化することができる。該映像データ処理装置は、センシング回路を制御し、複数の駆動グループそれぞれに、順次に電気信号を印加し、複数の検出グループそれぞれから、順次に電気信号を検出することができる。
【０１９１】
所定個数の駆動電極で構成された特定駆動グループに電気信号を印加し、所定個数の検出電極で構成された特定検出グループを選択すれば、センシング回路上の個別活性化領域に含まれた複数のノードがいずれも活性化され、該映像データ処理装置は、複数のノード全体に係わる相互静電容量を測定することができる。すなわち、該映像データ処理装置で測定される相互静電容量は、複数のノードそれぞれに対応する複数の相互静電容量の総和でもある。
【０１９２】
該映像データ処理装置は、相互静電容量をスーパーピクセルに変換することができる。また、該映像データ処理装置は、複数のスーパーピクセルによって構成されたスーパーピクセルアレイの映像データを生成することができる。
【０１９３】
該映像データ処理装置は、センシング回路を制御し、駆動グループに電気信号を印加し、検出グループを選択することにより、センシング回路の感度を向上させることができる。また、段階２０２０ないし段階２０３０で説明するように、該映像データ処理装置は、スーパーピクセルアレイの映像データの解像度を高めるために、スーパーピクセルアレイの映像データを、サブピクセルアレイの映像データに変換することができる。
【０１９４】
段階２０２０において、該映像データ処理装置は、１つの駆動電極、及び１つの検出電極を動作させ、統合活性化領域内の一部ノードを個別的に活性化させることにより、サブピクセルアレイ内の第１領域を構成する複数の第１サブピクセルの値を獲得することができる。
【０１９５】
該センシング回路が駆動グループに電気信号を印加し、検出グループを選択することにより、該映像データ処理装置は、センシング回路からスーパーピクセルを獲得し、複数のスーパーピクセルを利用し、スーパーピクセルアレイを生成することができる。該サブピクセルは、個別駆動電極に電気信号を印加し、個別検出電極を選択することによって獲得され、該映像データ処理装置は、複数のサブピクセルを利用し、サブピクセルアレイを生成することができる。すなわち、前述のスーパーピクセルアレイとサブピクセルアレイとが生成される方式の差により、スーパーピクセルアレイは、サブピクセルアレイより小サイズを有する。
【０１９６】
該スーパーピクセルアレイを該サブピクセルアレイに変換するためには、該映像データ処理装置において、サブピクセルアレイを構成する一部サブピクセルの値を獲得する必要がある。そのために、該映像データ処理装置は、個別駆動電極及び個別検出電極を動作させ、統合活性化領域内の一部ノードを個別的に活性化させることにより、サブピクセルアレイ内の第１領域を構成する複数の第１サブピクセルの値を獲得することができる。ここで、該統合活性化領域は、スーパーピクセルアレイの映像データを生成するのに利用されたセンシング回路上の全てのノードを含む領域でもある。また、該サブピクセルアレイを構成する複数のサブピクセルそれぞれは、統合活性化領域内の複数ノードと対応することができる。
【０１９７】
一実施形態において、スーパーピクセルアレイの大きさがＭ×Ｎであり、サブピクセルアレイの大きさがａ×ｂ（ａ＞Ｍ、ｂ＞Ｎ）である場合、該映像データ処理装置は、サブピクセルアレイ内の（ａｂ−ＭＮ）個の第１サブピクセルの値を獲得することができる。
【０１９８】
段階２０３０において、該映像データ処理装置は、スーパーピクセルアレイ及び複数の第１サブピクセルの値に基づいて、サブピクセルアレイ内の第２領域を構成する複数の第２サブピクセルの値を算出することができる。
【０１９９】
また、該映像データ処理装置は、算出された複数の第２サブピクセルの値を利用し、スーパーピクセルアレイの映像データを、サブピクセルアレイの映像データに変換することができる。
【０２００】
段階２０１０を介して、スーパーピクセルアレイを構成するＭＮ個のスーパーピクセルの値を知ることができ、段階２０２０を介して、サブピクセルアレイを構成する（ａｂ−ＭＮ）個の第１サブピクセルの値を知ることができるので、該映像データ処理装置は、サブピクセルアレイ内の第１領域を除いた残り領域である第２領域を構成するＭＮ個の第２サブピクセルの値を算出することができる。
【０２０１】
該映像データ処理装置は、段階２０２０で獲得された（ａｂ−ＭＮ）個の第１サブピクセルの値と、段階２０３０で算出されたＭＮ個の第２サブピクセルの値と、を利用し、最終的に、Ｍ×Ｎサイズを有するスーパーピクセルアレイを、ａ×ｂ（ａ＞Ｍ、ｂ＞Ｎ）サイズを有するサブピクセルアレイに変換することにより、解像度を高めることができる。
【０２０２】
図２１は、一実施形態により、該映像データ処理装置のハードウェア構成を図示したブロック図である。
【０２０３】
図２１を参照すれば、映像データ処理装置２１００は、少なくとも１つのプロセッサ２１１０及びメモリ２１２０を含んでもよい。図２１に図示されている映像データ処理装置２１００には、本実施形態と係わる構成要素だけが図示されている。従って、映像データ処理装置２１００には、図２１に図示されている構成要素以外に、他の汎用的な構成要素がさらに含まれてもよいということは、当業者に自明である。例えば、映像データ処理装置２１００は、センシング回路、センサモジュール、通信モジュール及びインターフェースなどをさらに含んでもよい。
【０２０４】
映像データ処理装置２１００は、ＰＣ（ｐｅｒｓｏｎａｌ  ｃｏｍｐｕｔｅｒ）、サーバデバイス、モバイルデバイス、埋め込みデバイスのような多種のデバイスによっても具現される。また、映像データ処理装置２１００は、ＰＣ、サーバデバイス、モバイルデバイス、埋め込みデバイスなどに、有無線で連結されるようにも具現される。また、映像データ処理装置２１００は、デバイスとサーバとの結合によっても具現される。
【０２０５】
プロセッサ２１１０は、１または複数個のプロセッサによっても具現される。例えば、プロセッサ２１１０は、多数の論理ゲートのアレイによっても具現され、汎用的なマイクロプロセッサと、マイクロプロセッサで実行されるプログラムが保存されたメモリとの組み合わせによっても具現される。例えば、プロセッサ２１１０は、ＣＰＵ（ｃｅｎｔｒａｌ  ｐｒｏｃｅｓｓｉｎｇ  ｕｎｉｔ）、ＧＰＵ（ｇｒａｐｈｉｃｓ  ｐｒｏｃｅｓｓｉｎｇ  ｕｎｉｔ）、ＡＰ（ａｐｐｌｉｃａｔｉｏｎ  ｐｒｏｃｅｓｓｏｒ）などによっても具現されるが、それらに制限されるものではない。
【０２０６】
プロセッサ２１１０は、映像データ処理装置２１００を制御するための全般的な役割を行うことができる。例えば、プロセッサ２１１０は、映像データ処理装置２１００内のメモリ２１２０に保存されたプログラムを実行することにより、映像データ処理装置２１００を全般的に制御することができる。また、少なくとも１つのプロセッサ２１１０は、メモリ２１２０に保存されたプログラムを実行することにより、映像データ処理装置２１００の機能を並列的に遂行することができる。
【０２０７】
プロセッサ２１１０は、図１１ないし図２０で説明したスーパーピクセルアレイの映像データを、サブピクセルアレイの映像データに変換するための一連のプロセスを制御することができる。
【０２０８】
メモリ２１２０は、映像データ処理装置２１００内で処理される各種データを保存するハードウェアであり、例えば、メモリ２１２０は、映像データ処理装置２１００で処理されたデータ及び処理されるデータを保存することができる。また、メモリ２１２０は、映像データ処理装置２１００によって駆動されるアプリケーション、ドライバなどを保存することができる。メモリ２１２０は、ＤＲＡＭ（ｄｙｎａｍｉｃ  ｒａｎｄｏｍ  ａｃｃｅｓｓ  ｍｅｍｏｒｙ）・ＳＲＡＭ（ｓｔａｔｉｃ  ｒａｎｄｏｍ  ａｃｃｅｓｓ  ｍｅｍｏｒｙ）のようなＲＡＭ（ｒａｎｄｏｍ  ａｃｃｅｓｓ  ｍｅｍｏｒｙ）、ＲＯＭ（ｒｅａｄ−ｏｎｌｙ  ｍｅｍｏｒｙ）、ＥＥＰＲＯＭ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ）、ＣＤ−ＲＯＭ（ｃｏｍｐａｃｔ  ｄｉｓｃ  ｒｅａｄ  ｏｎｌｙ  ｍｅｍｏｒｙ）、ブルーレイ（Ｂｌｕ−ｒａｙ）または他の光学ディスクのストレージ、ＨＤＤ（ｈａｒｄ  ｄｉｓｋ  ｄｒｉｖｅ）、ＳＳＤ（ｓｏｌｉｄ  ｓｔａｔｅ  ｄｒｉｖｅ）またはフラッシュメモリを含んでもよい。
【０２０９】
また、メモリ２１２０は、映像データ処理装置２１００に含まれた少なくとも１つのプロセッサ２１１０が共有する内蔵メモリ、または少なくとも１つのプロセッサ２１１０を支援する複数の内蔵メモリをさらに含んでもよい。
【０２１０】
一方、映像データ処理装置２１００は、センシング回路をさらに含んでもよい。該センシング回路は、タッチパッド、ドライバ及び信号測定部を含んでもよいが、それらに制限されるものではない。
【０２１１】
該タッチパッドは、複数の駆動電極、及び複数の駆動電極と交差する方向に形成された複数の検出電極を含んでもよい。該ドライバは、複数の駆動電極それぞれに順次に電気信号を印加し、複数の検出電極それぞれから、順次に電気信号を検出することができる。信号測定部は、複数の検出電極から電気信号を測定することができる。
【０２１２】
映像データ処理装置２１００は、タッチパッドの複数駆動電極に電気信号が印加されるように制御し、複数の検出電極が活性化されるように制御することにより、信号測定部から、複数のスーパーピクセル及び複数のサブピクセルに係わるデータを受信することができる。映像データ処理装置２１００は、受信された複数のスーパーピクセル及び複数のサブピクセルに係わるデータに基づいて、スーパーピクセルアレイの映像データを、サブピクセルアレイの映像データに変換することができる。
【０２１３】
本実施形態は、コンピュータによって実行されるプログラムモジュールのようなコンピュータによって実行可能な命令語を含む記録媒体の形態によっても具現される。該コンピュータで読み取り可能な媒体は、コンピュータによってアクセスされる任意の可用媒体でもあり、揮発性及び不揮発性の媒体、分離型及び非分離型の媒体をいずれも含む。また、該コンピュータで読み取り可能な媒体は、コンピュータの記録媒体及び通信媒体のいずれも含んでもよい。該コンピュータ記録媒体は、コンピュータで読み取り可能な命令語、データ構造、プログラムモジュール、またはその他データのような情報保存のための任意の方法または技術によって具現された揮発性及び非揮発性、分離型及び非分離型の媒体をいずれも含む。該通信媒体は、典型的にコンピュータで読み取り可能な命令語、データ構造、プログラムモジュールのような変調されたデータ信号のその他データ、またはその他伝送メカニズムを含み、任意の情報伝達媒体を含む。
【０２１４】
また、本明細書において「部」は、プロセッサまたは回路のようなハードウェア構成、及び／またはプロセッサのようなハードウェア構成によって実行されるソフトウェア構成でもある。
【０２１５】
前述の本明細書の説明は、例示のためのものであり、本明細書の内容が属する技術分野の当業者であるならば、本発明の技術的思想や必須な特徴を変更せずとも、他の具体的な形態に容易に変形が可能であるということを理解することができるであろう。従って、以上で記述した実施形態は、全ての面において、例示的なものであり、限定的ではないと理解されなければならない。例えば、単一型と説明されている各構成要素は、分散されて実施されもし、同様に、分散されていると説明されている構成要素も、結合された形態でも実施されもする。
【０２１６】
本実施形態の範囲は、前述の説明よりは、特許請求の範囲によって示され、特許請求の範囲の意味、範囲及びその均等概念から導き出される全ての変更、または変形された形態が含まれるものであると解釈されなければならない。
【産業上の利用可能性】
【０２１７】
本発明の、映像データを処理する方法及びその装置は、例えば、個人認証関連の技術分野に効果的に適用可能である。
【符号の説明】
【０２１８】
１０００，１１００，１３００，１４００，１５００，１７００，１８００        センシング回路
２１００        映像データ処理装置
２１１０        プロセッサ
２１２０        メモリ
【図１】
2020013569.tif 000044
【図２】
2020013569.tif 000045
【図３】
2020013569.tif 000046
【図４】
2020013569.tif 000047
【図５】
2020013569.tif 000048
【図６】
2020013569.tif 000049
【図７】
2020013569.tif 000050
【図８】
2020013569.tif 000051
【図９】
2020013569.tif 000052
【図１０Ａ】
2020013569.tif 000053
【図１０Ｂ】
2020013569.tif 000054
【図１１】
2020013569.tif 000055
【図１２】
2020013569.tif 000056
【図１３】
2020013569.tif 000057
【図１４】
2020013569.tif 000058
【図１５】
2020013569.tif 000059
【図１６】
2020013569.tif 000060
【図１７】
2020013569.tif 000061
【図１８】
2020013569.tif 000062
【図１９】
2020013569.tif 000063
【図２０】
2020013569.tif 000064
【図２１】
2020013569.tif 000065